(57)【要約】  【課題】  伝送品質向上に寄与しないパスを早くリリースするパス制御装置を提供する。  【解決手段】  受信信号の逆拡散を行う逆拡散部と、逆拡散の結果から検出パスを求めるパス検出部と、フィンガの情報を記憶する管理テーブルと、現在の検出パスが個々のフィンガと同一のパスか否かを判定し、新たなフィンガを管理テーブルにアサインし、検出パスになかったフィンガをロストパスとして判定するパス判定部と、フィンガ毎にロストパスの数を更新するロストカウンタと、所定の期間だけ平均化した平均パスレベルとその最大値を算出する平均化部と、平均パスレベル毎にパスレベル差を算出するレベル比較部と、ロスト判定値を補正するロスト判定値補正部と、ロストカウンタの値がロスト判定値に一致した場合に、フィンガを管理テーブルからリリースするリリース判定部とを備えた。  【選択図】  図２
2006094084.tif 000002
【特許請求の範囲】
【請求項１】
レイク受信に用いるパスの選択を行うパス制御装置であって、
受信信号の逆拡散を行う逆拡散部と、
前記逆拡散の結果からパスを検出し、検出パスとするパス検出部と、
既に検出された検出パスをフィンガとして、フィンガに関する情報を記憶する管理テーブルと、
現在の検出パスが個々のフィンガと同一のパスか否かを判定し、すべてのフィンガについて同一と判定されなかった検出パスを新たなフィンガとして前記管理テーブルにアサインし、すべての検出パスについて同一と判定されなかったフィンガをロストパスとして判定するパス判定部と、
フィンガ毎にロストパスとなった数を更新するロストカウンタと、
検出パス毎にレベルを所定の期間だけ平均化した平均パスレベルを算出するとともに、すべての平均パスレベルの最大値を最大パスレベルとして算出する平均化部と、
前記最大パスレベルに対する個々の前記平均パスレベルの差であるパスレベル差を算出するレベル比較部と、
前記ロストカウンタの値に対する閾値であるフィンガ毎のロスト判定値を、前記パスレベル差に基づいて補正するロスト判定値補正部と、
前記ロストカウンタの値が前記ロスト判定値と一致した場合に、対応するフィンガを前記管理テーブルからリリースするリリース判定部と、
を備えてなるパス制御装置。
【請求項２】
請求項１に記載のパス制御装置において、
前記ロスト判定値補正部は、前記パスレベル差が所定の閾値以上となった場合に前記ロスト判定値を減少させ、前記パスレベル差が所定の閾値未満となった場合に前記ロスト判定値を増加させることを特徴とするパス制御装置。
【発明の詳細な説明】
【技術分野】
【０００１】
本発明は、ＤＳ−ＣＤＭＡ（Direct Sequence-Code Division Multiple Access：直接拡散−符号分割多元接続）方式におけるレイク受信のためのパス制御装置に関するものである。
【背景技術】
【０００２】
ＤＳ−ＣＤＭＡ方式は、受信信号に逆拡散を施し、伝搬遅延波であるパスに分離し、分離した複数のパスを効率よく合成することで伝送品質の改善を図っている。これはレイク受信と呼ばれる方式である。
【０００３】
レイク受信装置は、伝搬遅延波の数が多いほど伝送品質の向上が図れるものの、フェージングで一時的にレベルが落ち込んでいるパス等の低レベルのパスを合成すると伝送品質が低下することから、レイク受信装置では伝搬遅延波のリリース判定が重要となる。あるパスを一度リリースすると、次に同じパスをアサインできるのは、パスサーチして再度パスを検出した後になる。一般的にパスサーチ間隔は長いため、実際のパスレベルが回復した時すぐにパスをアサインできるとは限らない。そのため、一時的にレベルが落ち込んだパスをすぐにはリリースしないようにしていた。
【０００４】
図５は、従来のレイク受信装置の構成の一例を示すブロック図である。従来のレイク受信装置は、高周波部１１、パス制御部１１２、パス合成部１３、復調部１４を備える。高周波部１１は、アンテナで受信された信号のダウンコンバートを行う。パス制御部１１２は、高周波部１１の出力に対して、逆拡散、分離されたパスの制御を行う。パス合成部１３は、高周波部１１の出力に対して、パス制御部１１２で指示されたパスの合成を行う。復調部１４は、パス合成部１３の出力に対して復調を行い、復調されたデータを外部へ出力する。
【０００５】
なお、本発明の関連ある従来技術として、例えば、パスレベルが小さく、雑音レベルと同等であるような場合でも、パスの誤検出を抑制し、復調特性を劣化させないためのスペクトラム拡散通信受信機が提案されている（例えば、特許文献１）。
【特許文献１】特開平１０−３０８６８９号公報  （第４−７頁、第１図）
【０００６】
このスペクトラム拡散通信受信機は、復調すべきパスを選択してからレイク受信を行う。ここで、１チップ程度の窓を設定し、その窓の範囲内にパスが連続して存在する場合に、パスの存在を検出するパスの前方保護手段を設ける。また、パスが連続して存在しない場合に、パスの消滅を検出するパスの後方保護手段を設ける。さらに、この前方保護手段と後方保護手段の段数を外部状況に応じて適宜変更するものである。
【発明の開示】
【発明が解決しようとする課題】
【０００７】
しかしながら、低レベルのパスにはフェージングにより一時落ち込んでいるパスの他、伝送品質に寄与しないパスもあり、パスのリリースまでの期間が長いと品質劣化の要因となる。
【０００８】
本発明は上述した問題点を解決するためになされたものであり、伝送品質向上に寄与しないパスを早くリリースするパス制御装置を提供することを目的とする。
【課題を解決するための手段】
【０００９】
上述した課題を解決するため、本発明は、レイク受信に用いるパスの選択を行うパス制御装置であって、受信信号の逆拡散を行う逆拡散部と、前記逆拡散の結果からパスを検出し、検出パスとするパス検出部と、既に検出された検出パスをフィンガとして、フィンガに関する情報を記憶する管理テーブルと、現在の検出パスが個々のフィンガと同一のパスか否かを判定し、すべてのフィンガについて同一と判定されなかった検出パスを新たなフィンガとして前記管理テーブルにアサインし、すべての検出パスについて同一と判定されなかったフィンガをロストパスとして判定するパス判定部と、フィンガ毎にロストパスとなった数を更新するロストカウンタと、検出パス毎にレベルを所定の期間だけ平均化した平均パスレベルを算出するとともに、すべての平均パスレベルの最大値を最大パスレベルとして算出する平均化部と、前記最大パスレベルに対する個々の前記平均パスレベルの差であるパスレベル差を算出するレベル比較部と、前記ロストカウンタの値に対する閾値であるフィンガ毎のロスト判定値を、前記パスレベル差に基づいて補正するロスト判定値補正部と、前記ロストカウンタの値が前記ロスト判定値と一致した場合に、対応するフィンガを前記管理テーブルからリリースするリリース判定部とを備えたものである。
【００１０】
また、本発明に係るパス制御装置において、前記ロスト判定値補正部は、前記パスレベル差が所定の閾値以上となった場合に前記ロスト判定値を減少させ、前記パスレベル差が前記所定の閾値未満となった場合に前記ロスト判定値を増加させることを特徴とするものである。
【００１１】
また、本発明に係るパス制御装置において、前記ロスト判定値補正部は、前回検出した前記パスレベル差が所定の閾値未満であり、かつ現在検出した前記パスレベル差が所定の閾値以上となった場合に前記ロスト判定値を減少させることを特徴とするものである。
【００１２】
なお、パス制御装置とは、実施の形態におけるパス制御部のことである。また、逆拡散部とは、実施の形態におけるＭＦのことである。
【発明の効果】
【００１３】
本発明によれば、伝送品質向上に寄与しないパスを早くリリースすることにより、レイク受信の性能を向上させることができる。
【発明を実施するための最良の形態】
【００１４】
以下、本発明の実施の形態について図面を参照しつつ説明する。
【００１５】
図１は、本発明に係るレイク受信装置の構成の一例を示すブロック図である。図１において、図５と同一符号は図５に示された対象と同一又は相当物を示しており、ここでの説明を省略する。図１のレイク受信装置は、従来のパス制御判定部１１２の代わりにパス制御部１２を備える。
【００１６】
図２は、本発明に係るパス制御部の構成の一例を示すブロック図である。パス制御部１２は、ＭＦ（Matched Filter）２１、パス検出部２２、管理テーブル２３、パス判定部２４、ロストカウンタ２５、リリース判定部２６、平均化部３１、レベル比較部３２、ロスト判定値補正部３３を備える。ＭＦ２１は、高周波部１１の出力の逆拡散を行うことにより相関ピークを求める。パス検出部２２は、ＭＦ２１の出力から相関ピークレベルが所定の相関ピークレベル閾値以上となる相関ピークを検出パスとして求める。相関ピークレベル閾値を超えない低レベルの相関ピークは検出パスとして検出されない。合成に用いるパスであるフィンガ毎のパス位置（遅延時間）は、管理テーブル２３に格納される。
【００１７】
図３は、本発明に係る管理テーブルに格納された情報の一例を示す表である。管理テーブル２３は、フィンガ毎に、フィンガ番号、パス位置、ロストカウンタ値、ロスト判定値、平均パスレベルを記憶する。
【００１８】
パス判定部２４は、パス検出部２２における検出パスと管理テーブル２３におけるフィンガとを比較し、検出パスが新規パスか既存パスかを判定し、さらにフィンガがロストパスとなったか否かを判定する。例えば、検出パスの位置とあるフィンガの位置が±１サンプル以内の違いであれば、そのフィンガと検出パスを同一と判定し、検出パスを既存パスと判定する。また、検出パスがすべてのフィンガについて同一と判定されなければ、検出パスを新規パスと判定し、検出パスをフィンガとして管理テーブル２３にアサインする。また、あるフィンガがすべての検出パスについて同一と判定されなければ、そのフィンガをロストパスと判定する。
【００１９】
パス判定部２４があるフィンガをロストパスと判定した場合、ロストカウンタ２５は、該当するフィンガのロストカウンタ値をインクリメントする。フィンガ毎のロストカウンタ値は、管理テーブル２３に格納される。また、パス判定部２４は、新規パスまたは既存パスと判定した場合、管理テーブル２３において該当するフィンガのロストカウンタ値を０クリアする。
【００２０】
パス検出部２２で検出された検出パスは、平均化部３１へ渡される。平均化部３１は、検出パス毎に所定の期間だけレベルを平均化した平均パスレベルを求めるとともに、すべての平均パスレベルの最大値である最大パスレベルを求める。対応するフィンガ毎の平均パスレベルは、管理テーブル２３に格納される。また、平均化の期間は、例えば４０ｍｓ程度である。レベル比較部３２は、最大パスレベルに対する個々の平均パスレベルのレベル差であるパスレベル差を求める。フィンガ毎のパスレベル差は、管理テーブル２３に格納される。パスレベル差はフェージング変動により時間とともに変化することから、管理テーブル２３は前回のパスレベル差を保持し、現在のパスレベル差と比較できるようにする。
【００２１】
ロスト判定値補正部３３は、パスレベル差と所定のパスレベル閾値を比較し、その比較結果に応じて、リリース判定部２６が保持するフィンガ毎のロスト判定値を補正する。フィンガ毎のロスト判定値は、管理テーブル２３に格納される。リリース判定部２６は、管理テーブル２３における各フィンガのロストカウンタ値とロスト判定値を比較し、一致したら管理テーブル２３から該当するフィンガをリリースする。
【００２２】
図４は、本発明に係るロスト判定値補正部の動作の一例を示すフローチャートである。ここで、パスレベル差がパスレベル閾値よりも小さい場合を、パスレベル差＝”小”、大きい場合を、パスレベル差＝”大”と呼ぶことにする。まず、ロスト判定値補正部３３は、前回のパスレベル差＝”大”か否かの判定を行う（Ｓ３１）。前回のパスレベル差＝”大”でない場合（Ｓ３１，Ｎ）、処理Ｓ３３へ移行する。一方、前回のパスレベル差＝”大”である場合（Ｓ３１，Ｙ）、現在のパスレベル差＝”小”か否かの判定を行う（Ｓ３２）。現在のパスレベル差＝”小”である場合（Ｓ３２，Ｙ）、ロスト判定値を増加させ（Ｓ３３）、処理Ｓ３５へ移行する。一方、前回のパスレベル差＝”小”でない場合（Ｓ３２，Ｎ）、ロスト判定値を減少させ（Ｓ３４）、処理Ｓ３５へ移行する。次に、現在のパスレベル差を管理テーブル２３へ格納する（Ｓ３５）。
【００２３】
つまり、パスレベル差＝”小”の時（即ちパスレベルが相対的に高いとき）はロスト判定値を大きくして一時的に落ち込んでもすぐにリリースしないようにする。
【００２４】
また、パスレベル差＝”大”の時（即ちパスレベルが相対的に低いとき）はロスト判定値を小さくしてすぐにリリースするようにする。ただし、あるパスについて、前回のパスレベル差＝”小”（即ちロスト判定値＝”大”）から現在のパスレベル差＝”大”に変化した場合はロスト判定値を小さくしない。つまり、パスレベルが変動して一度でもパスレベル差＝”小”となったパスは、すぐにリリースされない。一方、継続してパスレベル差＝”大”のパスは、そのロスト判定値が大きくならず、すぐにリリースされる。
【００２５】
この実施の形態では、パス制御装置を備えたレイク受信装置を例にしているが、携帯電話機、携帯電話基地局、無線データ通信装置、放送受信装置等にも適用できる。
【図面の簡単な説明】
【００２６】
【図１】本発明に係るレイク受信装置の構成の一例を示すブロック図である。
【図２】本発明に係るパス制御部の構成の一例を示すブロック図である。
【図３】本発明に係る管理テーブルに格納された情報の一例を示す表である。
【図４】本発明に係るロスト判定値補正部の動作の一例を示すフローチャートである。
【図５】従来のレイク受信装置の構成の一例を示すブロック図である。
【符号の説明】
【００２７】
１１  高周波部、１２，１１２  パス制御部、１３  パス合成部、１４  復調部、２１  ＭＦ、２２  パス検出部、２３  管理テーブル、２４  パス判定部、２５  ロストカウンタ、２６  リリース判定部、３１  平均化部、３２  レベル比較部、３３  ロスト判定値補正部。
【図１】
2006094084.tif 000003
【図２】
2006094084.tif 000004
【図３】
2006094084.tif 000005
【図４】
2006094084.tif 000006
【図５】
2006094084.tif 000007